【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
多重アンテナ方式を使用する基地局で適応変調符号化(Ａｄａｐｔｉｖｅ  Ｍｏｄｕｌａｔｉｏｎ  ａｎｄ  Ｃｏｄｉｎｇ：ＡＭＣ)を通じて出力される複数のビット列を複数の送信アンテナを通じて伝送するためのビームフォーミングを遂行する方法であって、
前記複数の送信アンテナを複数の送信アンテナグループに分類する段階と、
移動端末からフィードバックされるグループ選択信号によって前記複数の送信アンテナグループのうちの一つを選択する段階と、
前記複数のビット列の各々を前記選択した送信アンテナグループを構成する送信アンテナの中で対応する送信アンテナに出力する段階と、を有し、
前記グループ選択信号は、前記複数の送信アンテナグループに対する加重値選択情報を含む
ことを特徴とするビームフォーミング遂行方法。
【請求項２】
前記グループ選択信号によって前記選択された送信アンテナグループに対して加重値‘１’が割り当てられ、選択されない送信アンテナグループに対しては加重値‘０’が割り当てられることを特徴とする請求項１記載のビームフォーミング遂行方法。
【請求項３】
前記移動端末は、前記グループ選択信号ｋ０を下記の式によって決定することを特徴とする請求項２記載のビームフォーミング遂行方法。
【数１】
2008506330.tif 000001
ここで、ｋは０又は１で、Ｃk(t)はｋがグループ選択信号として使用されるときの伝送データ量を示し、ｔはタイムスロットのインデックスを示す。
【請求項４】
前記複数の送信アンテナのうち、相互干渉が最小化できる送信アンテナを一つの送信アンテナグループに分類することを特徴とする請求項２記載のビームフォーミング遂行方法。
【請求項５】
前記送信アンテナは４個で構成され、前記４個の送信アンテナは２個の送信アンテナグループに分類されることを特徴とする請求項２記載のビームフォーミング遂行装置。
【請求項６】
前記ビット列の個数が、各送信アンテナグループの前記送信アンテナの個数に比例することを特徴とする請求項２記載のビームフォーミング遂行方法。
【請求項７】
２ｎ個の送信アンテナグループが使用されるときに、前記グループ選択信号はｎビットで構成されることを特徴とする請求項２記載のビームフォーミング遂行方法。
【請求項８】
多重アンテナ方式を使用する基地局におけるビームフォーミングを遂行する装置であって、
一つのビット列を複数のビット列に多重化し、前記複数のビット列の各々に対する適応変調符号化を遂行する一般信号処理部と、
複数の送信アンテナを複数の送信アンテナグループに分類し、移動端末からフィードバックされるグループ選択信号によって前記複数の送信アンテナグループのうちの一つを選択し、前記複数のビット列の各々を前記選択した送信アンテナグループの送信アンテナの中で対応する送信アンテナに出力する空間信号処理部と、を含み、
前記グループ選択信号は、前記複数の送信アンテナグループに対する加重値選択情報を含むことを特徴とするビームフォーミング遂行装置。
【請求項９】
前記一般信号処理部は、
一つのビット列を複数のビット列に多重化するマルチプレクサと、
移動端末からのフィードバック情報によって前記複数のビット列の各々に対する適応変調符号化を遂行する複数の適応変調符号化部と、
を含むことを特徴とする請求項８記載のビームフォーミング遂行装置。
【請求項１０】
前記空間信号処理部は、
複数の送信アンテナグループに分類される複数の送信アンテナと、
前記移動端末からフィードバックされるグループ選択信号に基づいて前記複数の送信アンテナグループの中で一つの送信アンテナグループを選択し、前記複数のビット列の各々が前記選択した送信アンテナグループの送信アンテナの中で対応する送信アンテナに出力するためのスイッチング部と、
を含むことを特徴とする請求項８記載のビームフォーミング遂行装置。
【請求項１１】
前記グループ選択信号によって前記選択された送信アンテナグループに対して加重値‘１’が割り当てられ、選択されない送信アンテナグループに対して加重値‘０’が割り当てられることを特徴とする請求項８記載のビームフォーミング遂行装置。
【請求項１２】
前記移動端末は、前記グループ選択信号ｋ０を下記の式によって決定することを特徴とする請求項１１記載のビームフォーミング遂行装置。
【数２】
2008506330.tif 000002
ここで、ｋは０又は１で、Ｃk(t)はｋがグループ選択信号として使用されるときの伝送データ量を示し、ｔはタイムスロットのインデックスを示す。
【請求項１３】
前記複数の送信アンテナのうち、相互干渉が最小化できる送信アンテナを一つの送信アンテナグループに分類することを特徴とする請求項１１記載のビームフォーミング遂行装置。
【請求項１４】
前記送信アンテナは４個で構成され、前記４個の送信アンテナは２個の送信アンテナグループに分類されることを特徴とする請求項１1記載のビームフォーミング遂行装置。
【請求項１５】
前記ビット列の個数が、各送信アンテナグループの前記送信アンテナの個数に比例することを特徴とする請求項１１記載のビームフォーミング遂行装置。
【請求項１６】
２ｎ個の送信アンテナグループが使用されるときに、前記グループ選択信号はｎビットで構成されることを特徴とする請求項１１記載のビームフォーミング遂行装置。
【請求項１７】
多重アンテナ方式を使用する基地局で適応変調符号化を通じて出力される複数のビット列を複数の送信アンテナを通じて伝送するためのビームフォーミングを遂行する方法であって、
移動端末からのフィードバック情報を受信する段階と、
前記フィードバック情報から加重値選択情報を獲得し、前記加重値選択情報によって送信アンテナ別加重値を割り当てる段階と、
該送信アンテナを通じて伝送しようとするビット列を前記該送信アンテナに対して割り当てられた加重値によって乗算する段階と、
前記加重値によって乗算されたビット列を前記該送信アンテナに出力する段階と、
を有することを特徴とするビームフォーミング遂行方法。
【請求項１８】
前記送信アンテナ別に割り当てられた加重値は、相互に異なることを特徴とする請求項１７記載のビームフォーミング遂行方法。
【請求項１９】
前記送信アンテナ別加重値を割り当てる段階は、
前記複数の送信アンテナを複数の送信アンテナグループに分類する段階と、
前記フィードバック情報から加重値選択情報を獲得し、前記加重値選択情報によって、前記送信アンテナグループ別に加重値を割り当てる段階とを有し、
ここで、前記送信アンテナグループの送信アンテナに対して同一の加重値を割り当てることをと特徴とする請求項１７記載のビームフォーミング遂行方法。
【請求項２０】
前記送信アンテナ別加重値を割り当てる段階は、
前記フィードバック情報から加重値選択情報を獲得する段階と、
前記加重値選択情報によって予め定められた加重値マトリックスを選択する段階と、
前記選択された加重値マトリックスによって送信アンテナ別加重値を割り当てる段階と、
を有することを特徴とする請求項１８又は請求項１９記載のビームフォーミング遂行方法。
【請求項２１】
前記加重値マトリックスは下記のようなパターンを有し、
【数３】
2008506330.tif 000003
前記加重値マトリックスで、各送信アンテナグループ別加重値Ｗ１，Ｗ２は下記の式によって決定されることを特徴とする請求項１７記載のビームフォーミング遂行方法。
【数４】
2008506330.tif 000004
ここで、ｋは加重値選択情報を示し、ｔはタイムスロットのインデックスを示す。
【請求項２２】
多重アンテナ方式を使用する基地局におけるビームフォーミングを遂行する装置であって、
一つのビット列を複数のビット列に多重化し、前記複数のビット列の各々に対する適応変調符号化を遂行する一般信号処理部と、
移動端末からフィードバックされる加重値選択情報によって送信アンテナ別加重値を割り当て、前記一般信号処理部から出力される複数のビット列のうち該送信アンテナを通じて伝送しようとするビット列を前記該送信アンテナに対して割り当てられた加重値によって乗算し、前記加重値によって乗算されたビット列を前記該送信アンテナに出力する空間信号処理部と、
を含むことを特徴とするビームフォーミング遂行装置。
【請求項２３】
前記空間信号処理部は、前記送信アンテナ別加重値を相互に異なるように割り当てることを特徴とする請求項２２記載のビームフォーミング遂行装置。
【請求項２４】
前記一般信号処理部は、
一つのビット列を複数のビット列に多重化するマルチプレクサと、
移動端末からのフィードバック情報によって、前記複数のビット列の各々に対する適応変調符号化を遂行する複数の適応変調符号化部と、
を含むことを特徴とする請求項２２記載のビームフォーミング遂行装置。
【請求項２５】
前記空間信号処理部は、
複数の送信アンテナグループに分類される複数の送信アンテナと、
前記送信アンテナグループ別に加重値が提供され、前記複数のビット列を前記送信アンテナグループ別に加重値によって乗算して対応する送信アンテナグループに出力するコンバイナと、を含み、
ここで、前記送信アンテナグループの送信アンテナに対して同一の加重値を割り当てることを特徴とする請求項２２記載のビームフォーミング遂行装置。
【請求項２６】
前記複数の送信アンテナのうち、相互干渉が最小化できる送信アンテナを一つの送信アンテナグループに分類することを特徴とする請求項２２記載のビームフォーミング遂行装置。
【請求項２７】
前記送信アンテナは４個で構成され、前記４個の送信アンテナは２個の送信アンテナグループに分類されることを特徴とする請求項２２記載のビームフォーミング遂行装置。
【請求項２８】
前記ビット列の個数が、各送信アンテナグループを構成する前記送信アンテナの個数に比例することを特徴とする請求項２２記載のビームフォーミング遂行装置。
【請求項２９】
前記移動端末からフィードバックされる加重値選択情報ｋによって前記複数の送信アンテナグループ別加重値を下記の式によって計算するフィードバック情報処理部をさらに含むことを特徴とする請求項２２記載のビームフォーミング遂行装置。
【数５】
2008506330.tif 000005